(57)【要約】【課題】  ディスクカートリッジにおいて、ロータリーシャッタを閉方向に付勢するばね部材を係止する、フレーム側のばね係止部の充分な強度を確保する。【解決手段】  一対のシェル半体１１、１２と、一対のシェル半体１１、１２を支持するフレーム２０とを有し、シェル半体１１、１２にヘッドアクセス用開口部が設けられたハウジングと、ハウジング内にヘッドアクセス用開口部を開閉するために設けられた、回動自在なロータリーシャッタとを備えたディスクカートリッジにおいて、フレーム２０とロータリーシャッタに、ばね部材６０の両端が各々係止されるばね係止部が設けられ、フレーム２０側のばね係止部２３は、一端２３ａがフレーム本体部２１に繋がり、他端２３ｂが一方のシェル半体１１に当接又は嵌入されている。【選択図】  図４
2006134402.tif 000002
【特許請求の範囲】
【請求項１】
円盤状の記録媒体を回動自在に収容する一対のシェル半体と、該一対のシェル半体を支持するフレームとを有し、前記シェル半体に、ドライブ装置の記録再生ヘッドを前記記録媒体にアクセスさせるためのヘッドアクセス用開口部が設けられたハウジングと、
該ハウジング内に前記ヘッドアクセス用開口部を開閉するために設けられ、ドライブ装置への非挿入時にばね部材により閉方向に付勢される回動自在なロータリーシャッタとを備えたディスクカートリッジにおいて、
前記フレームと前記ロータリーシャッタには、前記ばね部材の両端が各々係止されるばね係止部が設けられ、前記フレーム側の該ばね係止部は、一端が前記フレームの本体部に繋がり、他端が一方の前記シェル半体に当接又は嵌入されていることを特徴とするディスクカートリッジ。
【請求項２】
前記フレーム側の前記ばね係止部の前記他端が、前記一方のシェル半体に設けられた凹部又は貫通孔に嵌入されていることを特徴とする請求項１に記載のディスクカートリッジ。
【発明の詳細な説明】
【技術分野】
【０００１】
本発明は、携帯電子機器等の記録再生に使用されるディスクカートリッジに係り、特にそのロータリーシャッタを閉方向に付勢するばね部材を係止するばね係止部の改良に関する。
【背景技術】
【０００２】
デジタルカメラ等の携帯電子機器に使用される小型の記録再生カートリッジとして、円盤状の記録媒体を回動自在に収容し、ドライブ装置の記録再生ヘッドを記録媒体にアクセスさせるためのヘッドアクセス用開口部を有する一対のシェル半体を主とするハウジングと、ヘッドアクセス用開口部を開閉する、回動自在なロータリーシャッタとを備えたディスクカートリッジが開示されている（特許文献１等）。
【０００３】
ディスクカートリッジにおいては、例えば、ハウジングに上記一対のシェル半体を支持するフレームが備えられ、上記ロータリーシャッタは、このフレームとロータリーシャッタに両端が各々係止されたばね部材により、ドライブ装置への非挿入時に閉方向に付勢されるよう構成される。かかるディスクカートリッジは、例えば、「ｃｌｉｋ！（登録商標）」等の名称で市販されている。
【特許文献１】特開２００４−１７８６４２号公報
【発明の開示】
【発明が解決しようとする課題】
【０００４】
上記従来技術では、フレームとロータリーシャッタに、ばね部材の両端が各々係止されるばね係止部が設けられ、ばね部材の伸縮は、フレーム側のばね係止部が支点となって起こる。
【０００５】
図６に、フレーム側のばね係止部の近傍部分の断面構造を示し、従来の課題を説明する。図中、符号１１１及び１１２は、一対のシェル半体を示す。
【０００６】
図６（ａ）に示す如く、従来のディスクカートリッジでは、フレーム１２０は、フレーム本体部１２１と、下端が接続部１２２を介してフレーム本体部１２１に繋がり、下側シェル半体１１２側から上側シェル半体１１１側に向けて柱状に延びるばね係止部１２３とを備えてなり、ばね部材１３０の一端がばね係止部１２３に係止されている。ばね係止部１２３の上端（先端）は、特に他の部材によって支持されることはなく、フリーの状態にある。
【０００７】
近年の携帯電子機器の小型高機能化に伴い、これに搭載されるディスクカートリッジにもさらなる小型化が要求されるようになってきている。そのため、ばね係止部１２３の設置スペースもより厳しくなってきている。設置スペース上、ばね係止部１２３を細くすると、ばね係止部１２３の強度はその分低下してしまう。そのため、図６（ｂ）に示す如く、ばね部材１３０の伸縮の支点であるフレーム側のばね係止部１２３は、上端（先端）がフリーであるので、ばね部材１３０に引っ張られて傾く恐れがある。ばね係止部１２３が大きく傾くと、ばね部材１３０がばね係止部１２３から外れる恐れがあり、ロータリーシャッタの開閉に支障を来たす恐れがある。
【０００８】
ばね係止部１２３をより高強度の材料により構成すれば、ばね係止部１２３を細くしても充分な強度は確保できるが、高コスト化に繋がり、好ましくない。
【０００９】
本発明はかかる事情に鑑みてなされたものであり、設置スペースに関係なく、かつ低コストに、ロータリーシャッタを閉方向に付勢するばね部材を係止する、フレーム側のばね係止部の充分な強度を確保できるディスクカートリッジを提供することを目的とするものである。
【課題を解決するための手段】
【００１０】
本発明のディスクカートリッジは、円盤状の記録媒体を回動自在に収容する一対のシェル半体と、該一対のシェル半体を支持するフレームとを有し、前記シェル半体に、ドライブ装置の記録再生ヘッドを前記記録媒体にアクセスさせるためのヘッドアクセス用開口部が設けられたハウジングと、該ハウジング内に前記ヘッドアクセス用開口部を開閉するために設けられ、ドライブ装置への非挿入時にばね部材により閉方向に付勢される回動自在なロータリーシャッタとを備えたディスクカートリッジにおいて、
前記フレームと前記ロータリーシャッタには、前記ばね部材の両端が各々係止されるばね係止部が設けられ、前記フレーム側の該ばね係止部は、一端が前記フレームの本体部に繋がり、他端が一方の前記シェル半体に当接又は嵌入されていることを特徴とする。
【発明の効果】
【００１１】
本発明のディスクカートリッジでは、ばね部材の伸縮の支点となるフレーム側のばね係止部を、一端がフレームの本体部に繋がり、他端が一方のシェル半体に当接又は嵌入される構成としているので、ばね係止部の先端である他端がシェル半体により安定的に支持され、設置スペースに関係なく、かつ低コストに、フレーム側のばね係止部の充分な強度を確保することができる。
【発明を実施するための最良の形態】
【００１２】
次に、図面を参照し、本発明に係る一実施形態のディスクカートリッジ、及び該ディスクカートリッジのドライブ装置への挿入・取出機構について説明する。本実施形態では、磁気記録媒体を用いる磁気ディスクカートリッジを挙げて説明する。便宜上、ドライブ装置に挿入された際に、ドライブ装置の底面側に位置する側を「下側」、その反対側を「上側」として説明する。
【００１３】
図１はディスクカートリッジの分解斜視図である。図２（ａ）〜（ｃ）は各々、ロータリーシャッタが閉状態にある上面図、右側面図、及び底面図である。図３は下側ロータリーシャッタ／ばね部材／フレームの拡大平面図である。図４（ａ）は図３のＡ−Ａ’断面図であり、図４（ｂ）〜（ｄ）は他の態様を示す図である。図５はディスクカートリッジが挿入されるドライブ装置の一例である。
【００１４】
（ディスクカートリッジ）
図１、図２に示す如く、本実施形態の磁気ディスクカートリッジ１は、円盤状の磁気記録媒体（磁気ディスク）５０が、ハウジング２に収容されたものである。磁気記録媒体５０の中心開口部には、図５に示すドライブ装置８０に挿入された際に磁気吸着されるセンタコア（いわゆるハブ）５１が取り付けられている。
【００１５】
ハウジング２は、互いに対向配置され、磁気記録媒体５０を回動自在に収容する、平面視略同一形状の金属製等の上側シェル半体１１及び下側シェル半体１２と、これら一対のシェル半体１１、１２を支持する樹脂製等のフレーム２０とを有してなる。
【００１６】
シェル半体１１、１２は円盤状から略扇形状を切欠した形状を呈するもので、略扇形状の開口部が、ドライブ装置８０の磁気ヘッド（記録再生ヘッド）８７を磁気記録媒体５０にアクセスさせるためのヘッドアクセス用開口部１１ｈ、１２ｈとなっている。
【００１７】
図２（ａ）に示す如く、シェル半体１１、１２の左側面側には、図５のドライブ装置８０の係合部材８９に係合して、ドライブ装置８０内でのディスクカートリッジ１の位置を決めるノッチ１３が形成されている。また、図２（ｂ）に示す如く、シェル半体１１、１２の右側面側には、後記ロータリーシャッタ３１、３２を閉位置にロックするためのシャッタロック部材７０（図１参照）を外部に臨ませる小窓１４が形成されている。
【００１８】
フレーム２０は、一対のシェル半体１１、１２の間でかつ磁気記録媒体５０の側方に嵌め込まれている。図３に拡大して示す如く、フレーム２０は、磁気記録媒体５０側の端面が磁気記録媒体５０の外周形状に沿った弧状を呈する略板状のフレーム本体部２１を主とし、フレーム本体部２１の磁気記録媒体５０と反対側端部が、磁気ディスクカートリッジ１をドライブ装置８０に挿入する際の押込み部２１ａとなっている。
【００１９】
図３、図４（ａ）に示す如く、フレーム２０には、後記ばね部材６０の一端が係止されるばね係止部２３が設けられている。このばね係止部２３は、接続部２２を介して、フレーム本体部２１と一体的に形成されている。
【００２０】
図４（ａ）に示すように、ばね係止部２３は、下端（一端）２３ａが接続部２２に繋がり、下側シェル半体１２側から上側シェル半体１１側に向けて柱状に延びている。このばね係止部２３は、上端（他端）２３ｂが上側シェル半体１１の内面１１ｓに当接されている。本実施形態では特に、ばね係止部２３の先端である上端（他端）２３ｂが、上側シェル半体１１に当接されている点が、従来と大きく異なっている。
【００２１】
フレーム本体部２１及び接続部２２に繋がる下端２３ａについては、下側シェル半体１２に当接させることは必須ではないが、図示するように、下端２３ａについても、下側シェル半体１２の内面１２ｓに当接させることが好ましい。
【００２２】
なお、本明細書では、シェル半体１１、１２の磁気記録媒体５０側の面を「内面」、磁気記録媒体５０と反対側の面を「外面」と定義する。
【００２３】
図１、図２に示す如く、磁気ディスクカートリッジ１には、シェル半体１１、１２のヘッドアクセス用開口部１１ｈ、１２ｈを開閉する、金属製等の上側ロータリーシャッタ３１及び下側ロータリーシャッタ３２が備えられている。ロータリーシャッタ３１、３２は、シェル半体１１、１２と同様の形状を呈し、同様のヘッドアクセス用開口部３１ｈ、３２ｈを有する。ロータリーシャッタ３１、３２は、磁気記録媒体５０とシェル半体１１、１２との間に回動自在に介挿されている。また、ロータリーシャッタ３１と３２は互いに係合しており、協動する。さらに、下側シェル半体１２には円弧状溝１２ｂが形成され、下側ロータリーシャッタ３２には、円弧状溝１２ｂから突出しかつこの円弧状溝１２ｂに沿って移動しロータリーシャッタ３１、３２を回動するシャッタノブ３２ｂが固設されている。
【００２４】
図３に示す如く、ロータリーシャッタ３１、３２は、１本のばね部材６０により、ドライブ装置８０への非挿入時に閉方向（反時計回り方向）に付勢されるよう構成されている。下側ロータリーシャッタ３２の外周には、上側シェル半体１１側に向かって延びるばね係止部３３が突設されており、ばね部材６０は両端が各々、このばね係止部３３とフレーム２０に設けられた前記ばね係止部２３に係止されている。ばね部材６０は、このように両端がばね係止部２３、３３に係止されて、ロータリーシャッタ３２とフレーム２０との間に円弧状に配され、フレーム２０側のばね係止部２３を支点として、ロータリーシャッタ３１、３２の回動に伴って伸縮する。
【００２５】
図１に示す如く、ロータリーシャッタ３１、３２の内面（磁気記録媒体５０側の面）には各々、磁気記録媒体５０の表面を浄化するライナ４１、４２が貼付されている。また、磁気記録媒体５０の下側に配置される、シェル半体１２、ロータリーシャッタ３２、及びライナ４２には各々、磁気記録媒体５０のセンタコア５１が嵌入する中心開口部１２ａ、３２ａ、４２ａが設けられている。
【００２６】
本実施形態の磁気ディスクカートリッジ１は以上のように構成されている。
【００２７】
（ドライブ装置、ディスクカートリッジの挿入・取出機構）
次に、図５に示すドライブ装置８０の構成と、磁気ディスクカートリッジ１の挿入・取出機構について説明する。
【００２８】
図５に示すドライブ装置８０は、磁気ディスクカートリッジ１が挿入されるスロット８１と、磁気記録媒体５０のセンタコア５１を磁気吸着するスピンドル８３を備えたスピンドルモータ８２と、ヘッドアクチュエータ８４と、スイングアーム８５と、このスイングアーム８５に支持されたヘッドサスペンション８６とを備えている。ヘッドサスペンション８６の先端には、回転する磁気記録媒体５０の表面にアクセスして情報の記録再生を行う磁気ヘッド（記録再生ヘッド）８７が設けられている。
【００２９】
さらにドライブ装置８０には、磁気ディスクカートリッジ１のノッチ１３に係合する係合部材８９を備えたプッシュ・プッシュ式のカートリッジ係止・取出機構８８と、このドライブ装置８０が装填されるデジタルカメラ、パソコン等の電子機器に対する入出力インターフェース９０とを備えている。
【００３０】
ドライブ装置８０のスロット８１の奥の右側には、磁気ディスクカートリッジ１の挿入方向と直交するように左右方向に延びるシャッタノブ係止壁７８がシャッタ開放手段として形成されているとともに、閉位置にロックされたロータリーシャッタ３１、３２のロック状態を磁気ディスクカートリッジ１の挿入時に解除するロック解除部材７９が設けられている。
【００３１】
磁気ディスクカートリッジ１がドライブ装置８０に挿入されると、先ずロック解除部材７９がシャッタロック部材７０を押圧してロータリーシャッタ３１、３２のロック状態を解除する。この状態でシャッタノブ３２ｂがドライブ装置８０のシャッタノブ係止壁７８に係合し、磁気ディスクカートリッジ１の押込みに伴って、シャッタノブ３２ｂがシャッタノブ係止壁７８に沿ってスライドする。これによって、ロータリーシャッタ３１、３２がばね部材６０を引っ張りながら回動し、シェル半体１１、１２のヘッドアクセス用開口部１１ｈ、１２ｈが開状態となる。磁気ディスクカートリッジ１のノッチ１３にドライブ装置８０の係合部材８９が係合し、磁気ディスクカートリッジ１は、ドライブ装置８０内の所定位置にロードされる。
【００３２】
磁気ディスクカートリッジ１の取出し時には、押込み部２１ａを押圧することにより、カートリッジ係止・取出機構８８が磁気ディスクカートリッジ１を押し出すと共に、磁気ディスクカートリッジ１の引出しに伴って、ロータリーシャッタ３１、３２は、ばね部材６０の付勢力により、図２（ａ）、（ｃ）に示した位置まで回動されて、シャッタロック部材７０によりロックされ、シェル半体１１、１２のヘッドアクセス用開口部１１ｈ、１２ｈが閉状態となる。
【００３３】
本実施形態の磁気ディスクカートリッジ１では、ばね部材６０の伸縮の支点となるフレーム２０側のばね係止部２３を、ばね係止部２３の先端である上端（他端）２３ｂが一方のシェル半体１１に当接される構成としているので、設置スペースや材料の強度に関係なく、ばね係止部２３の先端がシェル半体１１により安定的に支持される。したがって、本実施形態によれば、設置スペースに関係なく、従来よりも高強度の材料を用いることなく低コストに、フレーム２０側のばね係止部２３の充分な強度を確保することができる。
【００３４】
ばね係止部２３の下端２３ａについても、上端２３ｂと同様、下側シェル半体１２に当接させることが好ましい。この場合には、ばね係止部２３の上下両端が、一対のシェル半体１１、１２により安定的に支持され、ばね係止部２３の強度が一層向上する。
【００３５】
（他の態様）
上記実施形態では、シェル半体１１、１２の構成は従来のままとし、ばね係止部２３の上端２３ｂをシェル半体１１に当接させる構成としたが、本発明は、図４（ｂ）〜（ｄ）に示す如く、上側シェル半体１１に凹部１１ａ又は貫通孔１１ｂを形成し、これにばね係止部２３の上端２３ｂを嵌入させる構成としてもよい。
【００３６】
図４（ｂ）は、上側シェル半体１１の外面は平坦なまま、内面１１ｓに凹部１１ａを設けた例、図４（ｃ）は上側シェル半体１１を内面１１ｓ側からエンボス加工し、上側シェル半体１１を変形させて、内面１１ｓに凹部１１ａを設けた例、図４（ｄ）は上側シェル半体１１に貫通孔１１ｂを設けた例である。
【００３７】
このように、上側シェル半体１１に凹部１１ａ又は貫通孔１１ｂを形成し、これにばね係止部２３の上端２３ｂを嵌入させる構成としても、フレーム２０側のばね係止部２３の先端（上端２３ｂ）が一方のシェル半体１１により安定的に支持され、上記実施形態と同様の効果が得られる。
【００３８】
本発明は、上記実施形態に限らず、本発明の趣旨を逸脱しない範囲内で適宜設計変更可能である。例えば、フレーム２０を一体成形せずに、接続部２２及び／又はばね係止部２３をフレーム本体部２１とは別材により構成してもよい。ばね係止部２３の先端を下側シェル１２に当接又は嵌入させるなど、上下構造を反転させることもできる。
【００３９】
また、磁気ディスクカートリッジを例に説明したが、本発明は、磁気記録媒体に限らず、光記録媒体や光磁気記録媒体など、任意のディスク状の薄型記録媒体を用いるディスクカートリッジに適用可能である。
【産業上の利用可能性】
【００４０】
本発明は、デジタルカメラ等の携帯電子機器に使用される小型の磁気記録再生カートリッジ等に好ましく適用することができる。
【図面の簡単な説明】
【００４１】
【図１】本発明に係る一実施形態の磁気ディスクカートリッジの分解斜視図である。
【図２】図１のディスクカートリッジの上面図、右側面図、及び底面図である。
【図３】図１のディスクカートリッジの下側ロータリーシャッタ／ばね部材／フレームの拡大平面図である。
【図４】図３のＡ−Ａ’断面図である。
【図５】図１のディスクカートリッジが挿入されるドライブ装置の一例である。
【図６】従来のディスクカートリッジの構造と課題を示す図である。
【符号の説明】
【００４２】
１  磁気ディスクカートリッジ（ディスクカートリッジ）
２  ハウジング
１１、１２  シェル半体
１１ａ  凹部
１１ｂ  貫通孔
１１ｈ、１２ｈ  ヘッドアクセス用開口部
２０  フレーム
２１  フレーム本体部
２３  フレーム側のばね係止部
２３ａ  フレーム側のばね係止部の下端（一端）
２３ｂ  フレーム側のばね係止部の上端（他端）
３１、３２  ロータリーシャッタ
３３  ロータリーシャッタ側のばね係止部
５０  磁気記録媒体（記録媒体）
６０  ばね部材
８０  ドライブ装置
８７  磁気ヘッド（記録再生ヘッド）
【図１】
2006134402.tif 000003
【図２】
2006134402.tif 000004
【図３】
2006134402.tif 000005
【図４】
2006134402.tif 000006
【図５】
2006134402.tif 000007
【図６】
2006134402.tif 000008